(57)【要約】【課題】複数の衛星からの放送信号を衛星放送受信機へ１本のケーブルで伝送可能な衛星放送受信コンバータを提供する。【解決手段】入力端子３２は、他のＬＮＢから出力される外部ＩＦ信号を受ける。結合器２４は、このＬＮＢ４によって受信され周波数変換された内部ＩＦ信号を入力端子３２から入力される外部ＩＦ信号と結合する。結合器２４によって結合された内部ＩＦ信号および外部ＩＦ信号は、ＩＦ増幅器２６およびキャパシタ２８を介した後、出力端子３０から１本のケーブルを介して衛星放送受信機へ伝送される。【選択図】        図２
2004349822.tif 000002
【特許請求の範囲】
【請求項１】
衛星から伝送される放送信号を受信する信号受信部と、
前記放送信号を第１のＩＦ信号に周波数変換する周波数変換部と、
前記第１のＩＦ信号の周波数帯と異なり、かつ、各々の周波数帯が異なる少なくとも１つの第２のＩＦ信号をそれぞれ外部から受ける少なくとも１つの入力端子と、
前記第１のＩＦ信号および前記少なくとも１つの第２のＩＦ信号を受け、前記第１のＩＦ信号および前記少なくとも１つの第２のＩＦ信号を結合する結合部と、
前記結合部によって結合された信号を外部へ出力する出力端子とを備える衛星放送受信コンバータ。
【請求項２】
前記少なくとも１つの入力端子に対応して前記少なくとも１つの入力端子と前記結合部との間にそれぞれ設けられ、各々が対応する第２のＩＦ信号における所定の帯域外の信号を除去する少なくとも１つのフィルタ部をさらに備える、請求項１に記載の衛星放送受信コンバータ。
【請求項３】
衛星から伝送される第１および第２の放送信号を受信する信号受信部と、
前記第１および第２の放送信号を受け、外部から受ける指示に応じて前記第１および第２の放送信号のいずれかを出力する信号選択部と、
前記信号選択部から出力された信号を第１のＩＦ信号に周波数変換する周波数変換部と、
前記第１のＩＦ信号の周波数帯と異なり、かつ、各々の周波数帯が異なる少なくとも１つの第２のＩＦ信号をそれぞれ外部から受ける少なくとも１つの入力端子と、
前記第１のＩＦ信号および前記少なくとも１つの第２のＩＦ信号を受け、前記第１のＩＦ信号および前記少なくとも１つの第２のＩＦ信号を結合する結合部と、
前記結合部によって結合された信号を外部へ出力する出力端子とを備える衛星放送受信コンバータ。
【請求項４】
前記信号選択部は、前記出力端子から出力される出力信号を受信する衛星放送受信機から前記出力端子を介して前記指示を受ける、請求項３に記載の衛星放送受信コンバータ。
【請求項５】
衛星から伝送される放送信号を受信する信号受信部と、
前記放送信号を第１のＩＦ信号に周波数変換する周波数変換部と、
少なくとも１つの第２のＩＦ信号をそれぞれ外部から受ける少なくとも１つの入力端子と、
前記第１のＩＦ信号および前記少なくとも１つの第２のＩＦ信号を受け、外部から受ける指示に応じて前記第１のＩＦ信号および前記少なくとも１つの第２のＩＦ信号のいずれか１つを選択して出力する信号選択部と、
前記信号選択部によって選択された信号を外部へ出力する出力端子とを備える衛星放送受信コンバータ。
【請求項６】
前記少なくとも１つの入力端子に対応して前記少なくとも１つの入力端子と前記信号選択部との間にそれぞれ設けられ、各々が対応する第２のＩＦ信号を所定の信号レベルに増幅する少なくとも１つの増幅部をさらに備える、請求項５に記載の衛星放送受信コンバータ。
【請求項７】
衛星から伝送される第１および第２の放送信号を受信する信号受信部と、
前記第１および第２の放送信号を受け、外部から受ける第１の指示に応じて前記第１および第２の放送信号のいずれかを出力する第１の信号選択部と、
前記第１の信号選択部から出力された信号を第１のＩＦ信号に周波数変換する周波数変換部と、
少なくとも１つの第２のＩＦ信号をそれぞれ外部から受ける少なくとも１つの入力端子と、
前記第１のＩＦ信号および前記少なくとも１つの第２のＩＦ信号を受け、外部から受ける第２の指示に応じて前記第１のＩＦ信号および前記少なくとも１つの第２のＩＦ信号のいずれか１つを選択して出力する第２の信号選択部と、
前記第２の信号選択部によって選択された信号を外部へ出力する出力端子とを備える衛星放送受信コンバータ。
【請求項８】
前記第１および第２の信号選択部は、前記出力端子から出力される出力信号を受信する衛星放送受信機から前記出力端子を介して前記第１および第２の指示をそれぞれ受ける、請求項７に記載の衛星放送受信コンバータ。
【発明の詳細な説明】
【０００１】
【発明の属する技術分野】
この発明は、衛星放送受信コンバータに関し、特に、複数の衛星からの放送信号を衛星放送受信機へ出力する衛星放送受信コンバータに関する。
【０００２】
【従来の技術】
現在、地球の上空には、複数の放送衛星および通信衛星が打上げられている。これらの衛星からは、主に、１２．２ＧＨｚ〜１２．７ＧＨｚのダウンリンク周波数帯では、水平偏波および垂直偏波の２種類の直線偏波による信号が伝送され、１１．７ＧＨｚ〜１２．７５ＧＨｚのダウンリンク周波数帯では、右旋円偏波および左旋円偏波の２種類の円偏波による信号が伝送されている。
【０００３】
図１０は、従来の衛星放送受信コンバータの基本構成を示す概略ブロック図である。図１０を参照して、衛星放送受信コンバータであるロー・ノイズ・ブロック・ダウン・コンバータ（Ｌｏｗ  Ｎｏｉｓｅ  Ｂｌｏｃｋ  Ｄｏｗｎ  Ｃｏｎｖｅｔｅｒ、以下「ＬＮＢ」とも称する。）１００は、フィードホーン１０２と、ＬＮＡ（Ｌｏｗ  Ｎｏｉｓｅ  Ａｍｐｌｉｆｉｅｒ）１０４と、ＢＰＦ（Ｂａｎｄ  Ｐａｓｓ  Ｆｉｌｔｅｒ）１０６と、局部発振回路１０８と、ミキサ１１０と、ＩＦ（Ｉｎｔｅｒｍｅｄｉａｔｅ  Ｆｒｅｑｕｅｎｃｙ）増幅器１１２，１１４と、キャパシタ１１６と、出力端子１１８と、バイアス供給回路１２０とを備える。
【０００４】
フィードホーン１０２によって受信される円偏波信号は、円偏波／直線偏波変換部として機能するフェイズシフタ（図示せず）によって直線偏波信号に変換される。直線偏波信号に変換された無線周波数帯のＲＦ（Ｒａｄｉｏ  Ｆｒｅｑｕｅｎｃｙ）信号は、ＬＮＡ１０４によって低雑音増幅され、ＢＰＦ１０６によってイメージ信号が除去された後、局部発振回路１０８から出力された１０数ＧＨｚの局部発振信号とミキサ１１０によって混合される。これにより、ＲＦ信号は、９５０〜１４５０ＭＨｚの中間周波数帯のＩＦ信号に周波数変換される。
【０００５】
ミキサ１１０から出力されたＩＦ信号は、ＩＦ増幅器１１２，１１４によって増幅され、キャパシタ１１６によって低周波ノイズがカットされた後、出力端子１１８からケーブル（図示せず）を介して外部の衛星放送受信機（図示せず）へ出力される。
【０００６】
一方、ＬＮＢ１００は、動作電源となる直流電圧を衛星放送受信機から上記ケーブルを介して出力端子１１８に受ける。そして、出力端子１１８に印加される直流電圧は、バイアス供給回路１２０に供給される。バイアス供給回路１２０は、衛星放送受信機から供給された直流電圧のレギュレーションを行ない、ＬＮＡ１０４、局部発振回路１０８およびＩＦ増幅器１１２，１１４などの各回路に電圧を供給する。
【０００７】
また、特開２００２−２７１２２４号公報には、互いに重複しない周波数帯で複数の衛星から送信される信号を同時に受信し、複数の衛星放送受信機による衛星放送受信を可能にする衛星放送受信コンバータが開示されている（特許文献１参照）。
【０００８】
【特許文献１】
特開２００２−２７１２２４号公報
【０００９】
【発明が解決しようとする課題】
１台の衛星放送受信機で複数の衛星からの衛星放送を受信しようとすると、図１０に示された従来の衛星放送受信コンバータでは、複数の衛星にそれぞれ対応する複数の衛星放送受信コンバータが必要となる。そして、複数の衛星放送受信コンバータから衛星放送受信機へ信号を伝送するために複数のケーブルが必要となる。したがって、ある衛星放送受信コンバータからの信号を分配器で分配したり、ケーブルの途中で中間増幅器を設ける場合には、単純にその複数のケーブル分の分配器および中間増幅器が必要となり、設備コストが増大する。
【００１０】
ここで、特開２００２−２７１２２４号公報に記載の衛星放送受信コンバータによれば、複数の衛星からの放送信号を１つのコンバータで同時に受信し、衛星放送受信コンバータと衛星放送受信機との間のケーブルを１条化することができる。しかしながら、上空における複数の衛星の位置が大きく異なる場合は、この衛星放送受信コンバータでは、複数の放送信号を同時に受信して衛星放送受信機へ伝送することはできない。
【００１１】
すなわち、特開２００２−２７１２２４号公報に記載された衛星放送受信コンバータは、アンテナの向きを一方向に固定しても複数の衛星からの放送信号が受信できること、つまり、上空における複数の衛星の位置が近い場合を前提としている。したがって、複数の衛星の位置が大きく異なる場合には、この衛星放送受信コンバータによっても上記課題を解決することはできない。
【００１２】
そこで、この発明は、かかる課題を解決するためになされたものであり、その目的は、複数の衛星からの放送信号を衛星放送受信機へ１本のケーブルで伝送可能な衛星放送受信コンバータを提供することである。
【００１３】
【課題を解決するための手段】
この発明によれば、衛星放送受信コンバータは、衛星から伝送される放送信号を受信する信号受信部と、放送信号を第１のＩＦ信号に周波数変換する周波数変換部と、第１のＩＦ信号の周波数帯と異なり、かつ、各々の周波数帯が異なる少なくとも１つの第２のＩＦ信号をそれぞれ外部から受ける少なくとも１つの入力端子と、第１のＩＦ信号および少なくとも１つの第２のＩＦ信号を受け、第１のＩＦ信号および少なくとも１つの第２のＩＦ信号を結合する結合部と、結合部によって結合された信号を外部へ出力する出力端子とを備える。
【００１４】
この発明による衛星放送受信コンバータにおいては、内部で周波数変換された第１のＩＦ信号が外部から受ける少なくとも１つの第２のＩＦ信号と結合部によって結合されて出力端子から出力される。
【００１５】
したがって、この発明による衛星放送受信コンバータによれば、少なくとも１つの他の衛星放送受信コンバータからそれぞれ出力される少なくとも１つの第２のＩＦ信号を受け、その少なくとも１つの第２のＩＦ信号を第１のＩＦ信号と結合して出力端子から衛星放送受信機へ出力することができ、その結果、第１のＩＦ信号および少なくとも１つの第２のＩＦ信号を１本のケーブルで衛星放送受信機へ伝送することができる。
【００１６】
好ましくは、衛星放送受信コンバータは、少なくとも１つの入力端子に対応して少なくとも１つの入力端子と結合部との間にそれぞれ設けられ、各々が対応する第２のＩＦ信号における所定の帯域外の信号を除去する少なくとも１つのフィルタ部をさらに備える。
【００１７】
また、この発明によれば、衛星放送受信コンバータは、衛星から伝送される第１および第２の放送信号を受信する信号受信部と、第１および第２の放送信号を受け、外部から受ける指示に応じて第１および第２の放送信号のいずれかを出力する信号選択部と、信号選択部から出力された信号を第１のＩＦ信号に周波数変換する周波数変換部と、第１のＩＦ信号の周波数帯と異なり、かつ、各々の周波数帯が異なる少なくとも１つの第２のＩＦ信号をそれぞれ外部から受ける少なくとも１つの入力端子と、第１のＩＦ信号および少なくとも１つの第２のＩＦ信号を受け、第１のＩＦ信号および少なくとも１つの第２のＩＦ信号を結合する結合部と、結合部によって結合された信号を外部へ出力する出力端子とを備える。
【００１８】
この発明による衛星放送受信コンバータにおいては、受信した第１および第２の放送信号のいずれかが選択されて内部で周波数変換された第１のＩＦ信号が、外部から受ける少なくとも１つの第２のＩＦ信号と結合部によって結合されて出力端子から出力される。
【００１９】
したがって、この発明による衛星放送受信コンバータによれば、少なくとも１つの他の衛星放送受信コンバータからそれぞれ出力される少なくとも１つの第２のＩＦ信号を受け、その少なくとも１つの第２のＩＦ信号を第１または第２の放送信号が選択され周波数変換された第１のＩＦ信号と結合して出力端子から衛星放送受信機へ出力することができ、その結果、第１のＩＦ信号および少なくとも１つの第２のＩＦ信号を１本のケーブルで衛星放送受信機へ伝送することができる。
【００２０】
好ましくは、信号選択部は、出力端子から出力される出力信号を受信する衛星放送受信機から出力端子を介して指示を受ける。
【００２１】
また、この発明によれば、衛星放送受信コンバータは、衛星から伝送される放送信号を受信する信号受信部と、放送信号を第１のＩＦ信号に周波数変換する周波数変換部と、少なくとも１つの第２のＩＦ信号をそれぞれ外部から受ける少なくとも１つの入力端子と、第１のＩＦ信号および少なくとも１つの第２のＩＦ信号を受け、外部から受ける指示に応じて第１のＩＦ信号および少なくとも１つの第２のＩＦ信号のいずれか１つを選択して出力する信号選択部と、信号選択部によって選択された信号を外部へ出力する出力端子とを備える。
【００２２】
この発明による衛星放送受信コンバータにおいては、内部で周波数変換された第１のＩＦ信号および外部から受ける少なくとも１つの第２のＩＦ信号のいずれか１つが信号選択部によって選択されて出力端子から出力される。
【００２３】
したがって、この発明による衛星放送受信コンバータによれば、少なくとも１つの他の衛星放送受信コンバータからそれぞれ出力される少なくとも１つの第２のＩＦ信号を受け、第１のＩＦ信号および少なくとも１つの第２のＩＦ信号のいずれか１つを選択して出力端子から衛星放送受信機へ出力することができ、その結果、第１のＩＦ信号および少なくとも１つの第２のＩＦ信号を１本のケーブルで衛星放送受信機へ選択的に伝送することができる。
【００２４】
好ましくは、衛星放送受信コンバータは、少なくとも１つの入力端子に対応して少なくとも１つの入力端子と信号選択部との間にそれぞれ設けられ、各々が対応する第２のＩＦ信号を所定の信号レベルに増幅する少なくとも１つの増幅部をさらに備える。
【００２５】
また、この発明によれば、衛星放送受信コンバータは、衛星から伝送される第１および第２の放送信号を受信する信号受信部と、第１および第２の放送信号を受け、外部から受ける第１の指示に応じて第１および第２の放送信号のいずれかを出力する第１の信号選択部と、第１の信号選択部から出力された信号を第１のＩＦ信号に周波数変換する周波数変換部と、少なくとも１つの第２のＩＦ信号をそれぞれ外部から受ける少なくとも１つの入力端子と、第１のＩＦ信号および少なくとも１つの第２のＩＦ信号を受け、外部から受ける第２の指示に応じて第１のＩＦ信号および少なくとも１つの第２のＩＦ信号のいずれか１つを選択して出力する第２の信号選択部と、第２の信号選択部によって選択された信号を外部へ出力する出力端子とを備える。
【００２６】
この発明による衛星放送受信コンバータにおいては、受信した第１および第２の放送信号のいずれかが選択されて内部で周波数変換された第１のＩＦ信号、ならびに外部から受ける少なくとも１つの第２のＩＦ信号のいずれか１つが第２の信号選択部によって選択されて出力端子から出力される。
【００２７】
したがって、この発明による衛星放送受信コンバータによれば、少なくとも１つの他の衛星放送受信コンバータからそれぞれ出力される少なくとも１つの第２のＩＦ信号を受け、第１または第２の放送信号が選択され周波数変換された第１のＩＦ信号、および少なくとも１つの第２のＩＦ信号のいずれか１つを選択して出力端子から衛星放送受信機へ出力することができ、その結果、第１のＩＦ信号および少なくとも１つの第２のＩＦ信号を１本のケーブルで衛星放送受信機へ選択的に伝送することができる。
【００２８】
好ましくは、第１および第２の信号選択部は、出力端子から出力される出力信号を受信する衛星放送受信機から出力端子を介して第１および第２の指示をそれぞれ受ける。
【００２９】
【発明の実施の形態】
以下、本発明の実施の形態について、図面を参照しながら詳細に説明する。なお、図中同一または相当部分には同一符号を付してその説明は繰返さない。
【００３０】
［実施の形態１］
図１は、この発明による衛星放送受信コンバータが用いられる衛星放送受信システムの全体構成を示す概略図である。
【００３１】
図１を参照して、衛星５０から伝送された放送信号を受信する衛星放送受信アンテナ１は、反射板３と、ＬＮＢ４とを備える。また、衛星放送受信アンテナ２は、衛星５２から伝送された放送信号を受信する。
【００３２】
反射板３は、衛星５０から伝送された放送信号を受け、その受けた放送信号を反射する。この発明による衛星放送受信コンバータであるＬＮＢ４は、反射板３で反射された放送信号を受信し、その受信した放送信号を低雑音増幅して無線周波数帯から中間周波数帯に周波数変換する。
【００３３】
衛星放送受信アンテナ１のＬＮＢ４は、衛星放送受信アンテナ２から出力される中間周波数帯のＩＦ信号をケーブル５を介して受信する。そして、ＬＮＢ４は、衛星５０から伝送され中間周波数帯に周波数変換したＩＦ信号を衛星放送受信アンテナ２から受けるＩＦ信号と結合し、その結合した信号をケーブル６へ出力する。
【００３４】
ＬＮＢ４からケーブル６に出力されたＩＦ信号は、中間増幅器７によって増幅され、分配器８を介して、たとえば、テレビジョン受像機のような複数台の衛星放送受信機９Ａ，９Ｂ，９Ｃに伝送される。
【００３５】
図２は、図１に示したＬＮＢ４の構成を示す概略ブロック図である。
図２を参照して、ＬＮＢ４は、フィードホーン１２と、ＬＮＡ１４と、ＲＦ用イメージフィルタ１６と、局部発振回路１８と、ミキサ２０と、ＩＦ増幅器２２，２６と、結合器２４と、キャパシタ２８，３４と、出力端子３０と、入力端子３２と、ＩＦ帯域外ノイズフィルタ３６と、バイアス供給回路３８とを備える。
【００３６】
フィードホーン１２は、図１に示した反射板３によって反射された放送信号を受け、フェイズシフタ（図示せず）によって円偏波信号を直線偏波信号に変換する。ＬＮＡ１４は、フィードホーン１２から出力される信号を低雑音増幅してＲＦ用イメージフィルタ１６へ出力する。ＲＦ用イメージフィルタ１６は、ＬＮＡ１４から受ける信号からイメージ周波数成分を除去してミキサ２０へ出力する。
【００３７】
局部発振回路１８は、所定の周波数の局部発振信号を発生する。ミキサ２０は、ＲＦ用イメージフィルタ１６から出力される無線周波数帯のＲＦ信号を局部発振回路１８から出力される局部発振信号と混合し、中間周波数帯のＩＦ信号を出力する。すなわち、ＲＦ信号は、ミキサ２０および局部発振回路１８によってＩＦ信号に周波数変換される。ＩＦ増幅器２２は、ミキサ２０から出力されたＩＦ信号を増幅し、その増幅されたＩＦ信号を結合器２４へ出力する。
【００３８】
結合器２４は、ＩＦ増幅器２２から出力されたＩＦ信号（以下、「内部ＩＦ信号」とも称する。）とＩＦ帯域外ノイズフィルタ３６から出力されたＩＦ信号（入力端子３２を介して外部から入力されるＩＦ信号であって、以下、「外部ＩＦ信号」とも称する。）とのアイソレーションを維持し、かつ、信号の結合ロスを最小限に抑えたうえで、外部ＩＦ信号を内部ＩＦ信号と結合する。ここで、このＬＮＢ４においては、外部から受ける外部ＩＦ信号は、内部ＩＦ信号と周波数帯が重複しない信号である。
【００３９】
ＩＦ増幅器２６は、結合器２４から出力される結合されたＩＦ信号を増幅し、その増幅されたＩＦ信号をキャパシタ２８へ出力する。キャパシタ２８は、ＩＦ増幅器２６から出力されたＩＦ信号の低周波ノイズをカットする。出力端子３０は、内部ＩＦ信号および外部ＩＦ信号が結合されたＩＦ信号を外部へ出力するための端子である。出力端子３０には、他端が衛星放送受信機（図示せず）に接続された１本のケーブルが接続される。
【００４０】
入力端子３２は、他のＬＮＢから出力された外部ＩＦ信号を入力する端子である。入力端子３２には、他端が他のＬＮＢの出力端子に接続されたケーブルが接続される。キャパシタ３４は、入力端子３２に入力された外部ＩＦ信号の低周波ノイズをカットする。ＩＦ帯域外ノイズフィルタ３６は、外部ＩＦ信号から帯域外ノイズ信号成分を除去して結合器２４へ出力する。
【００４１】
出力端子３０は、衛星放送受信機と接続されるケーブルを介してその衛星放送受信機から直流電圧を受ける。この直流電圧は、ＬＮＢ４内の各回路の動作電圧として用いられる。バイアス供給回路３８は、出力端子３０に印加される直流電圧を受け、その直流電圧の電圧値のレギュレーションを行ない、ＬＮＡ１４、局部発振回路１８およびＩＦ増幅器２２，２６などの各回路に電圧を供給する。
【００４２】
また、出力端子３０に接続される衛星放送受信機から出力される直流電圧は、このＬＮＢ４の動作電圧として用いられるほか、出力端子３０および入力端子３２を介して入力端子３２に接続される他のＬＮＢへも供給され、そのＬＮＢの動作電圧としても用いられる。
【００４３】
なお、フィードホーン１２は、「信号受信部」を構成し、局部発振回路１８およびミキサ２０は、「周波数変換部」を構成する。また、結合器２４は、「結合部」を構成する。
【００４４】
このＬＮＢ４においては、他のＬＮＢによって受信され入力端子３２から入力される外部ＩＦ信号が、このＬＮＢ４によって受信され、かつ、その外部ＩＦ信号とは異なる周波数帯に周波数変換される内部ＩＦ信号と結合されて、出力端子３０から衛星放送受信機へ出力される。すなわち、異なる衛星から伝送された放送信号にそれぞれ対応する２つのＩＦ信号は、出力端子３０に接続される１本のケーブルを介してそのケーブルの他端に接続される衛星放送受信機へ伝送される。
【００４５】
また、このＬＮＢ４においては、外部ＩＦ信号は、キャパシタ３４によって低周波ノイズがカットされた後、ＩＦ帯域外ノイズフィルタ３６によってＩＦ帯域外ノイズ信号成分が除去されてから内部ＩＦ信号と結合されている。したがって、外部ＩＦ信号による内部ＩＦ信号への妨害はなく、内部ＩＦ信号および外部ＩＦ信号のアイソレーションを十分に確保したうえで、両ＩＦ信号は結合される。
【００４６】
なお、入力端子３２から入力される外部ＩＦ信号に対して、キャパシタ３４とＩＦ帯域外ノイズフィルタ３６との間、またはＩＦ帯域外ノイズフィルタ３６と結合器２４との間にＩＦ増幅器を設けてもよい。これによって、他のＬＮＢからＬＮＢ４までのケーブル伝送による信号損失を補償することができる（このとき、このＩＦ増幅器において、内部ＩＦ信号と外部ＩＦ信号とのレベル差によって相互変調妨害や高周波成分による妨害などを生じないように適切なゲインが設定される。）。
【００４７】
以上のように、この実施の形態１によるＬＮＢ４によれば、他のＬＮＢから出力されるＩＦ信号を取込み、内部ＩＦ信号と結合して衛星放送受信機へ出力するようにしたので、ＬＮＢ４と衛星放送受信機との間のケーブルを１条化することができる。したがって、異なる衛星から伝送された放送信号にそれぞれ対応する２つのＩＦ信号を１条のケーブルで衛星放送受信機へ伝送することができる。
【００４８】
［実施の形態２］
実施の形態１では、内部ＩＦ信号および外部ＩＦ信号は、結合部２４によって結合されるため、内部ＩＦ信号および外部ＩＦ信号の周波数帯は、異なることが前提とされる。実施の形態２では、内部ＩＦ信号および外部ＩＦ信号の周波数帯が重複する場合も考慮し、内部ＩＦ信号および外部ＩＦ信号のいずれかが選択されて衛星放送受信機へ伝送される。
【００４９】
実施の形態２によるＬＮＢが用いられる衛星放送受信システムの全体構成は、図１に示した全体構成と同じであるので、その説明は繰返さない。
【００５０】
図３は、実施の形態２によるＬＮＢの構成を示す概略ブロック図である。
図３を参照して、ＬＮＢ４Ａは、実施の形態１によるＬＮＢ４の構成において、Ｄｉｓｅｑ回路４２をさらに備え、結合器２４およびＩＦ帯域外ノイズフィルタ３６に代えてそれぞれＩＦ選択回路４０およびＩＦ増幅器４４を備える。
【００５１】
Ｄｉｓｅｑ回路４２は、衛星放送受信機からこのＬＮＢ４Ａに供給される直流電圧に重畳されて出力端子３０から入力されるＤｉｓｅｑ信号を検知し、このＤｉｓｅｑ信号によって衛星放送受信機から指示される選択指令をＩＦ選択回路４０へ出力する。ここで、Ｄｉｓｅｑ信号とは、衛星放送用機器の制御を目的として規格化されたＤｉＳＥｑＣ（Ｄｉｇｉｔａｌ  Ｓａｔｅｌｌｉｔｅ  Ｅｑｕｉｐｍｅｎｔ  Ｃｏｎｔｒｏｌ）方式に基づいた信号であって、上記の直流電圧に重畳されたパルス電圧のパルス幅によって“１”および“０”のデータが表わされた信号である。
【００５２】
ＩＦ増幅器４４は、入力端子３２から入力されてキャパシタ３４によって低周波ノイズが除去された外部ＩＦ信号を増幅し、その増幅された外部ＩＦ信号をＩＦ選択回路４０へ出力する。
【００５３】
ＩＦ選択回路４０は、ＩＦ増幅器２２から出力される内部ＩＦ信号、およびＩＦ増幅器４４から出力される外部ＩＦ信号を受け、Ｄｉｓｅｑ回路４２から出力される選択指令をさらに受ける。そして、ＩＦ選択回路４０は、その選択指令に応じて内部ＩＦ信号および外部ＩＦ信号のいずれかを選択し、その選択されたＩＦ信号をＩＦ増幅器２６へ出力する。
【００５４】
ＬＮＢ４Ａにおけるその他の構成は、実施の形態１によるＬＮＢ４の構成と同じであるので、その説明は繰り返さない。
【００５５】
なお、内部ＩＦ信号および外部ＩＦ信号は、それぞれ「第１のＩＦ信号」および「少なくとも１つの第２のＩＦ信号」に対応し、ＩＦ選択回路４０は、第１および少なくとも１つの第２のＩＦ信号のいずれか１つを選択して出力する「信号選択部」を構成する。
【００５６】
このＬＮＢ４Ａにおいては、このＬＮＢ４Ａによって受信され周波数変換された内部ＩＦ信号、および他のＬＮＢによって受信され入力端子３２から入力された外部ＩＦ信号のいずれかが、衛星放送受信機から受ける選択指令に応じてＩＦ選択回路４０によって選択され、その選択されたＩＦ信号が出力端子３０から衛星放送受信機へ出力される。したがって、ＬＮＢ４Ａにおいては、内部ＩＦ信号および外部ＩＦ信号の周波数帯が重複していてもよい。このように、ＬＮＢ４Ａにおいても、実施の形態１によるＬＮＢ４と同様に、異なる衛星から受信した２つのＩＦ信号を１本のケーブルで衛星放送受信機へ伝送することができる。
【００５７】
なお、上記においては、実施の形態１によるＬＮＢ４に備えられていたＩＦ帯域外ノイズフィルタ３６が設けられていないが、ＬＮＢ４と同様に、キャパシタ３４とＩＦ増幅器４４との間、またはＩＦ増幅器４４とＩＦ選択回路４０との間にＩＦ帯域外ノイズフィルタ３６を設けてもよい。
【００５８】
以上のように、この実施の形態２によるＬＮＢ４Ａによれば、他のＬＮＢから出力される外部ＩＦ信号を取込み、衛星放送受信機から受ける指令に応じて内部ＩＦ信号および外部ＩＦ信号のいずれかを選択して衛星放送受信機へ出力するようにしたので、ＬＮＢ４Ａと衛星放送受信機との間のケーブルを１条化することができる。したがって、このＬＮＢ４Ａによれば、ＬＮＢ４Ａおよび他のＬＮＢによってそれぞれ受信された２つのＩＦ信号を１本のケーブルで衛星放送受信機へ伝送することができる。
【００５９】
［実施の形態３］
図４は、実施の形態３によるＬＮＢの構成を示す概略ブロック図である。
【００６０】
図４を参照して、ＬＮＢ４Ｂは、実施の形態１によるＬＮＢ４の構成において、入力端子３３と、キャパシタ３５と、ＩＦ帯域外ノイズフィルタ３７とをさらに備え、結合器２４に代えて結合器２４Ａを備える。
【００６１】
入力端子３３は、入力端子３２に接続されるＬＮＢと異なるさらに他のＬＮＢから出力された外部ＩＦ信号を受ける。キャパシタ３５は、入力端子３３から入力された外部ＩＦ信号の低周波ノイズをカットする。ＩＦ帯域外ノイズフィルタ３７は、その外部ＩＦ信号から帯域外ノイズ信号成分を除去して結合器２４Ａへ出力する。
【００６２】
結合器２４Ａは、ＩＦ増幅器２２から出力された内部ＩＦ信号とＩＦ帯域外ノイズフィルタ３６，３７からそれぞれ出力された外部ＩＦ信号とのアイソレーションを維持し、かつ、信号の結合ロスを最小限に抑えたうえで、内部ＩＦ信号および２つの外部ＩＦ信号を結合する。
【００６３】
なお、出力端子３０に接続される衛星放送受信機から出力端子３０に入力される直流電圧は、入力端子３３を介してその入力端子３３に接続されるＬＮＢへも動作電圧として供給される。
【００６４】
ＬＮＢ４Ｂにおけるその他の構成は、実施の形態１によるＬＮＢ４の構成と同じである。また、このＬＮＢ４Ｂが用いられる衛星放送受信システムの全体構成も、図１に示した全体構成と同じである。
【００６５】
このＬＮＢ４Ｂにおいては、内部ＩＦ信号と周波数帯が重複せず、かつ、各々の周波数帯が異なる２つの外部ＩＦ信号をそれぞれ入力端子３２，３３に受ける。そして、結合器２４Ａによってこれらの外部ＩＦ信号が内部ＩＦ信号と結合され、出力端子３０から衛星放送受信機へ出力される。すなわち、このＬＮＢ４Ｂでは、衛星放送受信機を出力端子３０と接続する１本のケーブルによって、異なる衛星から受信した３つのＩＦ信号が衛星放送受信機へ伝送される。
【００６６】
なお、図４においては、外部ＩＦ信号が２つの場合について示されているが、外部ＩＦ信号の数は、２つに限られることはなく、各々が周波数帯の異なる３つ以上の外部ＩＦ信号がＬＮＢに入力されてもよい。この場合、入力される外部ＩＦ信号の数に応じた入力端子、キャパシタおよびＩＦ帯域外ノイズフィルタが設けられ、それらの外部ＩＦ信号を内部ＩＦ信号と結合する結合器が設けられる。
【００６７】
また、このＬＮＢ４Ｂにおいても、各入力端子からそれぞれ入力される各外部ＩＦ信号に対応して、結合器２４Ａによって各外部ＩＦ信号が結合される前にＩＦ増幅器を設けてもよい。
【００６８】
以上のように、この実施の形態３によるＬＮＢによれば、３つ以上のＩＦ信号を１条のケーブルで衛星放送受信機へ伝送することができる。
【００６９】
［実施の形態４］
図５は、実施の形態４によるＬＮＢの構成を示す概略ブロック図である。
【００７０】
図５を参照して、ＬＮＢ４Ｃは、実施の形態２によるＬＮＢ４Ａの構成において、入力端子３３と、キャパシタ３５と、ＩＦ増幅器４５とをさらに備え、ＩＦ選択回路４０に代えてＩＦ選択回路４０Ａを備える。
【００７１】
ＩＦ増幅器４５は、入力端子３３から入力されてキャパシタ３５によって低周波ノイズが除去された外部ＩＦ信号を増幅し、その増幅された外部ＩＦ信号をＩＦ選択回路４０Ａへ出力する。
【００７２】
ＩＦ選択回路４０Ａは、ＩＦ増幅器２２から出力される内部ＩＦ信号、入力端子３２から入力されＩＦ増幅器４４によって増幅された外部ＩＦ信号、および入力端子３３から入力されＩＦ増幅器４５によって増幅されたもう１つの外部ＩＦ信号を受け、Ｄｉｓｅｑ回路４２から出力される選択指令をさらにを受ける。そして、ＩＦ選択回路４０Ａは、その選択指令に応じて内部ＩＦ信号および入力端子３２，３３からそれぞれ受ける外部ＩＦ信号のいずれかを選択し、その選択されたＩＦ信号をＩＦ増幅器２６へ出力する。
【００７３】
ＬＮＢ４Ｃにおけるその他の構成は、実施の形態２によるＬＮＢ４Ａの構成と同じであるので、その説明は繰返さない。
【００７４】
このＬＮＢ４Ｃにおいては、このＬＮＢ４Ｃによって受信され周波数変換された内部ＩＦ信号、および他のＬＮＢによって受信され入力端子３２，３３からそれぞれ入力された２つの外部ＩＦ信号のいずれかが、衛星放送受信機から受ける選択指令に応じてＩＦ選択回路４０Ａによって選択され、その選択されたＩＦ信号が出力端子３０から衛星放送受信機へ出力される。
【００７５】
したがって、ＬＮＢ４Ｃにおいては、内部ＩＦ信号および入力端子３２，３３からそれぞれ入力される２つの外部ＩＦ信号の周波数帯が重複していてもよい。このように、このＬＮＢ４Ｃにおいては、異なる衛星から受信した３つのＩＦ信号を１本のケーブルで衛星放送受信機へ伝送することができる。
【００７６】
なお、図５においては、外部ＩＦ信号が２つの場合について示されているが、外部ＩＦ信号の数は、２つに限られることはなく、３つ以上の外部ＩＦ信号がＬＮＢに入力されてもよい。この場合、入力される外部ＩＦ信号の数に応じた入力端子、キャパシタおよびＩＦ増幅器が設けられ、それらの外部ＩＦ信号および内部ＩＦ信号のいずれかを選択するＩＦ選択回路が設けられる。
【００７７】
また、上記においては、入力端子３２，３３とＩＦ選択回路４０Ａとの間にそれぞれＩＦ帯域外ノイズフィルタが設けられていないが、キャパシタ３４とＩＦ増幅器４４との間およびキャパシタ３５とＩＦ増幅器４５との間、またはＩＦ増幅器４４とＩＦ選択回路４０Ａとの間およびＩＦ増幅器４５とＩＦ選択回路４０Ａとの間にそれぞれＩＦ帯域外ノイズフィルタ３６，３７を設けてもよい。
【００７８】
以上のように、この実施の形態４によるＬＮＢ４Ｃによっても、ＬＮＢ４Ｃおよび複数の他のＬＮＢによってそれぞれ受信された３つ以上のＩＦ信号を１条のケーブルで衛星放送受信機へ伝送することができる。
【００７９】
［実施の形態５］
実施の形態５によるＬＮＢは、衛星から２つの円偏波信号、すなわち右旋円偏波信号Ｒおよび左旋円偏波信号Ｌを受信する。その後、このＬＮＢは、受信された右旋円偏波信号Ｒおよび左旋円偏波信号Ｌのいずれかを選択し、その選択された信号を内部ＩＦ信号に周波数変換する。そして、内部ＩＦ信号は、他のＬＮＢによって受信されてこのＬＮＢに入力される外部ＩＦ信号と結合され、１本のケーブルを介して衛星放送受信機へ伝送される。
【００８０】
図６は、実施の形態５によるＬＮＢの構成を示す概略ブロック図である。
図６を参照して、ＬＮＢ４Ｄは、実施の形態１によるＬＮＢ４の構成において、Ｄｉｓｅｑ回路４２Ａをさらに備え、フィードホーン１２およびＬＮＡ１４に代えてそれぞれフィードホーン１２ＡおよびＬＮＡ１５を備える。
【００８１】
フィードホーン１２Ａは、衛星から送信され反射板によって反射された円偏波信号からなる放送信号を受け、円偏波／直線偏波変換部として機能するフェイズシフタ（図示せず）によって、右旋円偏波信号Ｒおよび左旋円偏波信号Ｌをそれぞれ直線偏波信号Ｈ，Ｖに変換する。
【００８２】
ＬＮＡ１５は、フィードホーン１２Ａから出力される直線偏波信号Ｈ，Ｖを受け、Ｄｉｓｅｑ回路４２Ａから出力される選択指令をさらに受ける。そして、ＬＮＡ１５は、その選択指令に応じて直線偏波信号Ｈ，Ｖのいずれかを選択して増幅し、その増幅された信号をＲＦ用イメージフィルタ１６へ出力する。
【００８３】
Ｄｉｓｅｑ回路４２Ａは、既に説明したＤｉｓｅｑ回路４２と機能的には同じであり、衛星放送受信機から受けて出力する選択信号の出力先がＬＮＡ１５である点で、Ｄｉｓｅｑ回路４２と異なる。
【００８４】
ＬＮＢ４Ｄにおけるその他の構成は、実施の形態１によるＬＮＡ４の構成と同じであるので、その説明は繰返さない。
【００８５】
なお、右旋円偏波信号Ｒおよび左旋円偏波信号Ｌは、それぞれ「第１および第２の放送信号」に対応し、ＬＮＡ１５は、第１および第２の放送信号を受けて低雑音増幅するとともに、その受けた第１および第２の放送信号のいずれかを出力する「信号選択部」を構成する。
【００８６】
このＬＮＢ４Ｄにおいては、衛星放送受信機から受ける選択指令に応じて、衛星から受ける右旋円偏波信号および左旋円偏波信号のいずれかがＬＮＡ１５によって選択され、その選択された信号が内部ＩＦ信号に周波数変換される。そして、入力端子３２から入力される外部ＩＦ信号は、この内部ＩＦ信号と結合器２４によって結合され、出力端子３０から１本のケーブルを介して衛星放送受信機へ伝送される。
【００８７】
以上のように、この実施の形態５によるＬＮＢ４Ｄによれば、衛星から右旋円偏波信号および左旋円偏波信号を受ける場合であっても、衛星放送受信機から受ける選択指令に応じて右旋円偏波信号および左旋円偏波信号のいずれかを選択し、その選択された信号を周波数変換した内部ＩＦ信号を外部から受ける外部ＩＦ信号と結合して衛星放送受信機へ出力するようにしたので、ＬＮＢ４Ｄおよび他のＬＮＢによってそれぞれ受信される２つの放送信号を１本のケーブルで衛星放送受信機へ伝送することができる。
【００８８】
［実施の形態６］
実施の形態６によるＬＮＢも、衛星から２つの円偏波信号、すなわち右旋円偏波信号Ｒおよび左旋円偏波信号Ｌを受信する。実施の形態５によるＬＮＢ４Ｄが実施の形態１に対応するのに対し、実施の形態６によるＬＮＢは、実施の形態２に対応するものである。
【００８９】
図７は、実施の形態６によるＬＮＢの構成を示す概略ブロック図である。
図７を参照して、ＬＮＢ４Ｅは、実施の形態２によるＬＮＢ４Ａの構成において、フィードホーン１２、ＬＮＡ１４およびＤｉｓｅｑ回路４２に代えてそれぞれフィードホーン１２Ａ、ＬＮＡ１５およびＤｉｓｅｑ回路４２Ｂを備える。
【００９０】
Ｄｉｓｅｑ回路４２Ｂは、衛星放送受信機からこのＬＮＢ４Ｅに供給される直流電圧に重畳されて出力端子３０から入力されるＤｉｓｅｑ信号を検知し、このＤｉｓｅｑ信号によって衛星放送受信機から指示される第１および第２の選択指令をそれぞれＬＮＡ１５およびＩＦ選択回路４０へ出力する。
【００９１】
フィードホーン１２ＡおよびＬＮＡ１５については、既に説明したので、その説明は繰返さない。
【００９２】
なお、この実施の形態６によるＬＮＢ４Ｅにおいて、ＬＮＡ１５およびＩＦ選択回路４０は、それぞれ「第１の信号選択部」および「第２の信号選択部」を構成する。
【００９３】
このＬＮＢ４Ｅにおいては、Ｄｉｓｅｑ回路４２Ｂは、衛星放送受信機から第１および第２の選択指令を受ける。そして、Ｄｉｓｅｑ回路４２Ｂから受ける第１の選択指令に応じて、衛星から受ける右旋円偏波信号および左旋円偏波信号のいずれかがＬＮＡ１５によって選択され、その選択された信号が内部ＩＦ信号に周波数変換される。
【００９４】
そして、Ｄｉｓｅｑ回路４２Ｂから受ける第２の選択指令に応じて、入力端子３２から入力される外部ＩＦ信号および内部ＩＦ信号のいずれかがＩＦ選択回路４０によって選択され、その選択されたＩＦ信号が出力端子３０から１本のケーブルを介して衛星放送受信機へ伝送される。
【００９５】
以上のように、この実施の形態６によるＬＮＢ４Ｅによれば、衛星から受ける右旋円偏波信号および左旋円偏波信号、ならびに他のＬＮＢによって受信される外部ＩＦ信号のいずれかを選択して１条のケーブルで衛星放送受信機へ伝送することができる。
【００９６】
［実施の形態７］
実施の形態７によるＬＮＢは、右旋円偏波信号Ｒおよび左旋円偏波信号Ｌの２つの放送信号を衛星から受信するとともに、複数の外部ＩＦ信号を他のＬＮＢから受け、その受けた複数の外部ＩＦ信号を内部ＩＦ信号と結合して衛星放送受信機へ伝送する。
【００９７】
図８は、実施の形態７によるＬＮＢの構成を示す概略ブロック図である。
図８を参照して、ＬＮＢ４Ｆは、実施の形態３によるＬＮＢ４Ｂの構成において、Ｄｉｓｅｑ回路４２Ａをさらに備え、フィードホーン１２およびＬＮＡ１４に代えてそれぞれフィードホーン１２ＡおよびＬＮＡ１５を備える。Ｄｉｓｅｑ回路４２Ａ、フィードホーン１２ＡおよびＬＮＡ１５については、既に説明したので、その説明は繰返さない。
【００９８】
このＬＮＢ４Ｆにおいては、衛星放送受信機から受ける選択指令に応じて、衛星から受ける右旋円偏波信号および左旋円偏波信号のいずれかがＬＮＡ１５によって選択され、その選択された信号が内部ＩＦ信号に周波数変換される。そして、入力端子３２，３３からそれぞれ入力される２つの外部ＩＦ信号は、この内部ＩＦ信号と結合器２４Ａによって結合され、出力端子３０から１本のケーブルを介して衛星放送受信機へ伝送される。
【００９９】
なお、図８においては、外部ＩＦ信号が２つの場合について示されているが、実施の形態３でも述べたように、外部ＩＦ信号の数は、２つに限られることはなく、各々が周波数帯の異なる３つ以上の外部ＩＦ信号がＬＮＢに入力されてもよい。
【０１００】
以上のように、この実施の形態７によるＬＮＢ４Ｆによれば、右旋円偏波信号および左旋円偏波信号の２つの放送信号を受信する場合であっても、内部ＩＦ信号および複数の外部ＩＦ信号を結合して１条のケーブルで衛星放送受信機へ伝送することができる。
【０１０１】
［実施の形態８］
実施の形態８によるＬＮＢは、右旋円偏波信号Ｒおよび左旋円偏波信号Ｌの２つの放送信号を衛星から受信するとともに、複数の外部ＩＦ信号を他のＬＮＢから受け、内部ＩＦ信号および複数の外部ＩＦ信号のいずれかを選択して衛星放送受信機へ伝送する。
【０１０２】
図９は、実施の形態８によるＬＮＢの構成を示す概略ブロック図である。
図９を参照して、ＬＮＢ４Ｇは、実施の形態４によるＬＮＢ４Ｃの構成において、フィードホーン１２、ＬＮＡ１４およびＤｉｓｅｑ回路４２に代えてそれぞれフィードホーン１２Ａ、ＬＮＡ１５およびＤｉｓｅｑ回路４２Ｂを備える。フィードホーン１２Ａ、ＬＮＡ１５およびＤｉｓｅｑ回路４２Ｂについては、既に説明したので、その説明は繰返さない。
【０１０３】
このＬＮＢ４Ｆにおいては、Ｄｉｓｅｑ回路４２Ｂは、衛星放送受信機から第１および第２の選択指令を受ける。そして、Ｄｉｓｅｑ回路４２Ｂから受ける第１の選択指令に応じて、衛星から受ける右旋円偏波信号および左旋円偏波信号のいずれかがＬＮＡ１５によって選択され、その選択された信号が内部ＩＦ信号に周波数変換される。
【０１０４】
そして、Ｄｉｓｅｑ回路４２Ｂから受ける第２の選択指令に応じて、入力端子３２，３３からそれぞれ入力される外部ＩＦ信号および内部ＩＦ信号のいずれかがＩＦ選択回路４０Ａによって選択され、その選択されたＩＦ信号が出力端子３０から１本のケーブルを介して衛星放送受信機へ伝送される。
【０１０５】
なお、図９においては、外部ＩＦ信号が２つの場合について示されているが、実施の形態４でも述べたように、外部ＩＦ信号の数は、２つに限られることはなく、３つ以上の外部ＩＦ信号がＬＮＢに入力されてもよい。
【０１０６】
以上のように、この実施の形態８によるＬＮＢ４Ｇによれば、右旋円偏波信号および左旋円偏波信号の２つの放送信号を受信する場合であっても、内部ＩＦ信号および複数の外部ＩＦ信号のいずれかを衛星放送受信機から受ける選択指令に応じて選択し、１条のケーブルで衛星放送受信機へ伝送することができる。
【０１０７】
なお、上記の実施の形態１〜８においては、この発明によるＬＮＢが衛星から受ける放送信号は、円偏波信号であるとしたが、衛星から伝送される放送信号は、直線偏波信号であってもよい。この場合は、フィードホーンによる円偏波信号から直線偏波信号への信号変換が不要になる。
【０１０８】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【０１０９】
【発明の効果】
この発明によれば、他のＬＮＢから出力されるＩＦ信号を取込んで衛星放送受信機へ伝送できるようにしたので、複数のＬＮＢによってそれぞれ受信される複数のＩＦ信号を１条のケーブルで衛星放送受信機へ伝送することができる。
【０１１０】
したがって、ＬＮＢと衛星放送受信機との間に備えられる分配器や中間増幅器を最小限に抑えることができ、設備コストを抑えることができる。
【図面の簡単な説明】
【図１】この発明による衛星放送受信コンバータが用いられる衛星放送受信システムの全体構成を示す概略図である。
【図２】図１に示したＬＮＢの構成を示す概略ブロック図である。
【図３】実施の形態２によるＬＮＢの構成を示す概略ブロック図である。
【図４】実施の形態３によるＬＮＢの構成を示す概略ブロック図である。
【図５】実施の形態４によるＬＮＢの構成を示す概略ブロック図である。
【図６】実施の形態５によるＬＮＢの構成を示す概略ブロック図である。
【図７】実施の形態６によるＬＮＢの構成を示す概略ブロック図である。
【図８】実施の形態７によるＬＮＢの構成を示す概略ブロック図である。
【図９】実施の形態８によるＬＮＢの構成を示す概略ブロック図である。
【図１０】従来の衛星放送受信コンバータの基本構成を示す概略ブロック図である。
【符号の説明】
１，２  衛星放送受信アンテナ、３  反射板、４，４Ａ〜４Ｇ，１００  衛星放送受信コンバータ、５，６  ケーブル、７  中間増幅器、８  分配器、９Ａ，９Ｂ，９Ｃ  衛星放送受信機、１２，１２Ａ，１０２  フィードホーン、１４，１５，１０４  ＬＮＡ、１６  ＲＦ用イメージフィルタ、１８，１０８  局部発振回路、２０，１１０  ミキサ、２２，２６，４４，４５，１１２，１１４  ＩＦ増幅器、２４，２４Ａ  結合器、２８，３４，３５，１１６  キャパシタ、３０，１１８  出力端子、３２，３３  入力端子、３６，３７  ＩＦ帯域外ノイズフィルタ、３８，１２０  バイアス供給回路、４０，４０Ａ  ＩＦ選択回路、４２，４２Ａ，４２Ｂ  Ｄｉｓｅｑ回路、５０，５２  衛星、１０６  ＢＰＦ。
【図１】
2004349822.tif 000003
【図２】
2004349822.tif 000004
【図３】
2004349822.tif 000005
【図４】
2004349822.tif 000006
【図５】
2004349822.tif 000007
【図６】
2004349822.tif 000008
【図７】
2004349822.tif 000009
【図８】
2004349822.tif 000010
【図９】
2004349822.tif 000011
【図１０】
2004349822.tif 000012